(57)【要約】【課題】各種電子機器に使用されるダンパー装置に関し、確実で多様な開閉操作が可能なものを提供することを目的とする。【解決手段】固定体１１と可動体１２の間に挿通された略円筒状のロータ１３に、可動体１２外周と係合する回転ガイド手段、及び固定体１１内周と係合する移動ガイド手段を設けると共に、回転ガイド手段を可動体１２の回転方向に平行な直行部１４Ａと、回転方向に対し傾斜した斜行部１４Ｂから形成することによって、回転ガイド手段の直行部１４Ａでは速やかに、斜行部１４Ｂでは緩やかに可動体１２が回転するため、確実で多様な開閉操作が可能なダンパー装置を得ることができる。【選択図】図１
2007064358.tif 000002
【特許請求の範囲】
【請求項１】
略円筒状の固定体と、この固定体内に回転可能に収納された可動体と、上記固定体と可動体の間に挿通された略円筒状のロータからなり、上記ロータに可動体外周と係合する回転ガイド手段、及び上記固定体内周と係合する移動ガイド手段を設けると共に、上記回転ガイド手段を可動体の回転方向に平行な直行部と回転方向に対し傾斜した斜行部から形成したダンパー装置。
【請求項２】
移動ガイド手段を回転方向に対し傾斜させて設けた請求項１記載のダンパー装置。
【請求項３】
固定体とロータまたはロータと可動体の間の少なくとも一方に、潤滑層を形成した請求項１のダンパー装置。
【発明の詳細な説明】
【技術分野】
【０００１】
本発明は、携帯電話やパーソナルコンピュータ等の、各種電子機器に使用されるダンパー装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられるヒンジ装置やダンパー装置においても、確実でより多様な開閉操作が行えるものが求められている。
【０００３】
このような従来の電子機器について、携帯電話を例として図６を用いて説明する。
【０００４】
図６は携帯電話の斜視図であり、同図において、１は固定筐体で、この上面には複数のキーが配列された操作部１Ａや、マイクロフォン等の音声入力部１Ｂが形成されている。
【０００５】
また、２は可動筐体で、前面にＬＣＤ等の表示部２Ａやスピーカ等の音声出力部２Ｂが形成されると共に、この可動筐体２下端が固定筐体１上端に開閉可能に装着されている。
【０００６】
そして、３は複数のカムやばね（図示せず）等から形成されたヒンジ装置で、固定筐体１と可動筐体２の間に装着され、このヒンジ装置３によって、可動筐体２が固定筐体１に対し、所定角度以下では閉方向へ、所定角度以上では開方向へ付勢されるように構成されている。
【０００７】
さらに、４はダンパー装置で、固定筐体１と可動筐体２の間に装着され、内蔵されたオイルやゴム（図示せず）等の粘性によって、可動筐体２の開閉操作に抵抗を与え、開閉操作が緩やかなものとなるように形成されている。
【０００８】
以上の構成において、例えば、可動筐体２が閉じた状態から、固定筐体１側面の押釦（図示せず）等を押圧操作すると、ヒンジ装置３のカムやばね等が動作して、可動筐体２に開く方向の力が加わり、可動筐体２が開方向へ付勢されて開操作が行われ、開いた状態で保持される。
【０００９】
但し、この時、ダンパー装置４によって可動筐体２には、開方向への抵抗が加わるため、可動筐体２の開操作は緩やかに行われる。
【００１０】
また、この開状態から可動筐体２を手で閉じた場合には、所定角度まで閉じると、ヒンジ装置３のカムやばね等の動作によって、可動筐体２に閉方向への力が加わり、可動筐体２が閉じた状態で保持される。
【００１１】
なお、この閉操作の際にも、ダンパー装置４によって可動筐体２に閉方向への抵抗が加わり、可動筐体２の閉操作は緩やかに行われる。
【００１２】
つまり、ヒンジ装置３によって可動筐体２を開または閉方向へ付勢して、固定筐体１に対する可動筐体２の開閉操作を行うと共に、ダンパー装置４によって可動筐体２へ常に一定の抵抗を与え、どの開閉角度でも可動筐体２の開閉操作が緩やかに行われるように構成されているものであった。
【００１３】
なお、この出願の発明に関連する先行技術文献情報としては、例えば、特許文献１が知られている。
【特許文献１】特開２００４−３４０２０９号公報
【発明の開示】
【発明が解決しようとする課題】
【００１４】
しかしながら、上記従来のダンパー装置においては、ダンパー装置の抵抗力が常に一定であるため、どの開閉角度でも可動筐体２の開閉は緩やかに行われ、例えば、閉じる直前には速やかに閉じたり、開閉途中の中間操作は速やかに行ったりするといった、多様な開閉操作を実現することが困難であるという課題があった。
【００１５】
本発明は、このような従来の課題を解決するものであり、確実で多様な開閉操作が可能なダンパー装置を提供することを目的とする。
【課題を解決するための手段】
【００１６】
上記目的を達成するために本発明は、以下の構成を有するものである。
【００１７】
本発明の請求項１に記載の発明は、固定体と可動体の間に挿通された略円筒状のロータに、可動体外周と係合する回転ガイド手段、及び固定体内周と係合する移動ガイド手段を設けると共に、回転ガイド手段を可動体の回転方向に平行な直行部と、回転方向に対し傾斜した斜行部から形成してダンパー装置を構成したものであり、回転ガイド手段の直行部では速やかに、斜行部では緩やかに可動体が回転するため、様々な開閉操作が可能なダンパー装置を得ることができるという作用を有する。
【００１８】
請求項２に記載の発明は、請求項１記載の発明において、移動ガイド手段を回転方向に対し傾斜させて設けたものであり、傾斜した移動ガイド手段によって、ロータが回転しながら軸線方向へ移動し、可動体の軸線方向への移動は生じないため、可動筐体への装着を簡易な構成で行うことができるという作用を有する。
【００１９】
請求項３に記載の発明は、請求項１記載の発明において、固定体とロータまたはロータと可動体の間の少なくとも一方に、潤滑層を形成したものであり、潤滑層の粘性によってロータの移動、即ち可動体の回転をさらに緩やかに行うことができるという作用を有する。
【発明の効果】
【００２０】
以上のように本発明によれば、確実で多様な開閉操作が可能なダンパー装置を実現することができるという有利な効果が得られる。
【発明を実施するための最良の形態】
【００２１】
以下、本発明の実施の形態について、図１〜図６を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるダンパー装置の部分断面斜視図、図２は同分解斜視図、図３は同固定体を省いた斜視図であり、同図において、１１は略円筒状で金属または絶縁樹脂製の固定体、１２は同じく金属または絶縁樹脂製の可動体で、固定体１１内に可動体１２が回転可能に収納されると共に、可動体１２右側面に形成された装着部１２Ａが固定体１１右方から突出している。
【００２４】
そして、１３は略円筒状で金属または絶縁樹脂製のロータで、固定体１１と可動体１２の間に挿通されると共に、ロータ１３の右方には、可動体１２の回転方向に平行な直行部１４Ａと、回転方向に対し傾斜した斜行部１４Ｂから形成された回転ガイド溝１４が、左方には同じく回転方向に対し傾斜した移動ガイド溝１５が各々形成されている。
【００２５】
また、１６は金属または絶縁樹脂製の固定ピン、１７は同じく可動ピンで、固定ピン１６が固定体１１の対向して形成された挿通孔１１Ａに挿入固定されると共に、可動ピン１７が可動体１２の貫通孔１２Ｂに挿入固定され、両端は可動体１２外周から外方へ突出している。
【００２６】
そして、可動体１２外周から突出した可動ピン１７両端が、ロータ１３の回転ガイド溝１４に挿入係合して回転ガイド手段が、固定体１１内を挿通した固定ピン１６が、ロータ１３の移動ガイド溝１５に挿入係合されて移動ガイド手段が各々形成されている。
【００２７】
さらに、固定体１１内周とロータ１３外周の間には、高粘性のシリコン系のグリス等を塗布することによって、潤滑層１８が形成されてダンパー装置２０が構成されている。
【００２８】
そして、このように構成されたダンパー装置２０は、例えば、図６の携帯電話の斜視図に示すように、固定体１１が、上面に複数のキーが配列された操作部１Ａやマイクロフォン等の音声入力部１Ｂが形成された固定筐体１へ、可動体１２の装着部１２Ａが、表面にＬＣＤ等の表示部２Ａやスピーカ等の音声出力部２Ｂが形成された可動筐体２へ各々固着される。
【００２９】
また、固定筐体１と可動筐体２の間には、複数のカムやばね（図示せず）等から形成されたヒンジ装置３が装着され、このヒンジ装置３によって、可動筐体２が固定筐体１に対し、所定角度以下では閉方向へ、所定角度以上では開方向へ付勢されるようにして、電子機器が構成される。
【００３０】
以上の構成において、図５（ａ）の斜視図に示すように、固定筐体１に対し可動筐体２が閉じた状態では、ダンパー装置２０は図４（ａ）の平面図に示すように、可動体１２外周から突出した可動ピン１７両端が、上下方向にほぼ垂直な状態でロータ１３の回転ガイド溝１４に挿入され、可動ピン１７下端は回転ガイド溝１４の、回転方向に平行な直行部１４Ａ下端に係合している。
【００３１】
そして、この可動筐体２が閉じた状態から、固定筐体１側面の押釦（図示せず）等を押圧操作すると、ヒンジ装置３のカムやばね等が動作して、可動筐体２に開く方向の力が加わり、図５（ｂ）に示すように、可動筐体２が開方向へ付勢されて開操作が行われる。
【００３２】
なお、この可動筐体２が開状態から９０度前後の角度まで開く間は、ダンパー装置２０は図４（ｂ）に示すように、装着部１２Ａが可動筐体２に固着された可動体１２が上方向へ回転し、可動体１２に固定された可動ピン１７も上方向へ９０度前後まで回転するが、可動ピン１７が係合したロータ１３の回転ガイド溝１４は、回転方向に平行な直行部１４Ａであるため、殆ど抵抗がなく滑らかに回転する。
【００３３】
つまり、可動体１２が固着された可動筐体２の、閉状態から９０度前後まで開く間の操作は、ダンパー装置２０による抵抗を受けることなく、ヒンジ装置３の開方向への付勢力のみによって、速やかに開操作が行われる。
【００３４】
そして、この後、可動筐体２はヒンジ装置３の付勢力によって、図５（ｃ）に示すように、１３５度前後の角度まで開き、さらに図５（ｄ）に示す、１８０度前後まで開いた状態で保持される。
【００３５】
なお、この可動筐体２が９０度前後から１３５度、１８０度前後の角度まで開く間は、ダンパー装置２０は図４（ｃ）や図４（ｄ）に示すように、可動体１２の回転に伴い、可動ピン１７もロータ１３の回転ガイド溝１４内を上方向へ回転するが、９０度前後以降は回転方向に平行な直行部１４Ａではなく、回転方向に対して傾斜した斜行部１４Ｂ内を回転するため、可動ピン１７右端が斜行部１４Ｂ右端に当接し、ロータ１３に右軸線方向の力がはたらく。
【００３６】
また、ロータ１３左方には、斜行部１４Ｂと同じく回転方向に対し傾斜した移動ガイド溝１５が形成され、この移動ガイド溝１５内には固定体１１に固定された固定ピン１６が挿入されて、ロータ１３が右軸線方向へ移動可能に形成されているため、ロータ１３が可動ピン１７に斜行部１４Ｂを押されて、上方向へ回転しながら右軸線方向へ移動する。
【００３７】
つまり、可動筐体２が９０度前後から１３５度、１８０度前後の角度に開くまでの間は、可動ピン１７両端が斜行部１４Ｂに当接し、ロータ１３を右軸線方向へ移動させる力が可動体１２にはたらくため、可動体１２の回転、即ち可動筐体２の開操作には抵抗が生じ、緩やかに開操作が行われる。
【００３８】
また、右軸線方向へ移動するロータ１３外周と、ロータ１３を覆う固定体１１内周との間には、潤滑層１８が形成されているため、この潤滑層１８の粘性によってロータ１３の移動、即ち可動体１２の回転や、可動筐体２の開操作はさらに緩やかに行われるように構成されている。
【００３９】
なお、ロータ１３左方の移動ガイド溝１５を回転方向に平行、つまり上下方向にほぼ垂直に形成した場合には、ロータ１３ではなく、可動体１２を左軸線方向へ移動させる力がはたらくため、可動体１２を可動筐体２に軸線方向へ移動可能に装着する必要がある。
【００４０】
また、この開状態から可動筐体２を手で閉じた場合にも、開閉角度が９０度前後まではダンパー装置２０の抵抗によって、開操作は緩やかに行われ、９０度前後以下では可動筐体２が速やかに閉じるように構成されている。
【００４１】
つまり、固定体１１と可動体１２の間に挿通された略円筒状のロータ１３に、可動体１２外周から突出した可動ピン１７両端が係合する回転ガイド溝１４を設けて回転ガイド手段を、固定体１１内を挿通した固定ピン１６が係合する移動ガイド溝１５を設けて移動ガイド手段を各々形成すると共に、回転ガイド溝１４を可動体１２の回転方向に平行な直行部１４Ａと、回転方向に対し傾斜した斜行部１４Ｂから形成することによって、可動筐体２を開いた直後と閉じる直前には速やかに開閉操作が行われ、それ以外の開閉角度ではダンパー装置２０によって緩やかに開閉操作が行われるようになっている。
【００４２】
なお、以上の説明では、開いた直後と閉じる直前に速やかに開閉操作を行う構成としたものについて説明したが、例えば、ロータ１３の回転ガイド溝１４の両端を傾斜した斜行部１４Ｂに、中間部を上下方向に垂直な直行部１４Ａに形成すれば、例えば０度から９０度の開閉角度までは緩やかに、９０度から１３５度の間は速やかに、その後１３５度から１８０度までは再び緩やかに開閉操作を行う等、用途に応じた様々な開閉操作を実現することができる。
【００４３】
また、以上の説明では、ロータ１３の回転ガイド溝１４に可動体１２外周から突出した可動ピン１７を挿入係合して回転ガイド手段を、ロータ１３の移動ガイド溝１５に固定体１１内を挿通した固定ピン１６を挿入係合して移動ガイド手段を各々形成した構成について説明したが、可動体１２外周や固定体１１内周にガイド溝を形成し、これらにロータ１３内周や外周に突出形成した突起等を挿入係合する構成としてもよい。
【００４４】
このように本実施の形態によれば、固定体１１と可動体１２の間に挿通された略円筒状のロータ１３に、可動体１２外周と係合する回転ガイド手段、及び固定体１１内周と係合する移動ガイド手段を設けると共に、回転ガイド手段を可動体１２の回転方向に平行な直行部１４Ａと、回転方向に対し傾斜した斜行部１４Ｂから形成することによって、回転ガイド手段の直行部１４Ａでは速やかに、斜行部１４Ｂでは緩やかに可動体１２が回転するため、確実で多様な開閉操作が可能なダンパー装置を得ることができるものである。
【００４５】
そして、移動ガイド手段としての移動ガイド溝１５を、斜行部１４Ｂと同じく回転方向に対し傾斜させて設けることによって、ロータ１３が回転しながら軸線方向へ移動し、可動体１２の軸線方向への移動は生じないため、可動筐体２への装着を簡易な構成で行うことができる。
【００４６】
また、固定体１１内周とロータ１３外周との間に、グリス等を塗布し潤滑層１８を形成することによって、ロータ１３の移動、即ち可動体１２の回転を緩やかに行うことができる。
【００４７】
さらに、潤滑層１８をロータ１３内周と可動体１２外周の間にも形成すれば、この間の潤滑層１８の粘性によって、可動体１２の回転をさらに緩やかにすることも可能となる。
【００４８】
なお、この潤滑層１８としては、フッ素系やエステル系、グリコール系のグリスを塗布しても可能であるが、高粘性及び低温での安定性等が得られるものとして、シリコン系やオレフィン系等のグリスが好ましい。
【００４９】
また、以上の説明では、別部品である固定ピン１６を固定体１１の挿通孔１１Ａに、同じく可動ピン１７を可動体１２の貫通孔１２Ｂに各々挿入固定した構成として説明したが、部品の製作加工は困難となるが、固定体１１に固定ピン１６を、可動体１２に可動ピン１７を各々一体化したものとしても、本発明の実施は可能である。
【００５０】
さらに、機器に装着されたヒンジ装置３のカムやばね等を動作させて、固定筐体１に対し可動筐体２を開閉操作する構成について説明したが、ばね等によって可動筐体２が常に開方向へ付勢された構成のものや、或いは、可動筐体２を付勢するヒンジ装置がなく、手で可動筐体２の開閉を行うもの等、様々な電子機器においても実施は可能である。
【産業上の利用可能性】
【００５１】
本発明によるダンパー装置は、確実で多様な開閉操作が可能なものを得ることができ、各種電子機器に使用されるダンパー装置として有用である。
【図面の簡単な説明】
【００５２】
【図１】本発明の一実施の形態によるダンパー装置の部分断面斜視図
【図２】同分解斜視図
【図３】同固定体を省いた斜視図
【図４】同開閉操作時の平面図
【図５】同携帯電話の斜視図
【図６】携帯電話の斜視図
【符号の説明】
【００５３】
１  固定筐体
１Ａ  操作部
１Ｂ  音声入力部
２  可動筐体
２Ａ  表示部
２Ｂ  音声出力部
３  ヒンジ装置
１１  固定体
１１Ａ  挿通孔
１２  可動体
１２Ａ  装着部
１２Ｂ  貫通孔
１３  ロータ
１４  回転ガイド溝
１４Ａ  直行部
１４Ｂ  斜行部
１５  移動ガイド溝
１６  固定ピン
１７  可動ピン
１８  潤滑層
２０  ダンパー装置
【図１】
2007064358.tif 000003
【図２】
2007064358.tif 000004
【図３】
2007064358.tif 000005
【図４】
2007064358.tif 000006
【図５】
2007064358.tif 000007
【図６】
2007064358.tif 000008